(57)【要約】  熱交換ユニットは、空気と冷媒とを熱交換する熱交換器と、熱交換器に対向して設けられ、空気が流通する開口部が形成された第１のドレンパンと、熱交換器に対向して設けられ、側面視において第１のドレンパンと共にＬ字状をなすように第１のドレンパンに取り付けられた第２のドレンパンと、を備え、第１のドレンパンが熱交換器の下方に位置する設置状態、又は、第２のドレンパンが熱交換器の下方に位置する設置状態で設置される熱交換ユニットであって、第２のドレンパンは、熱交換器に対向する対向面にリブを有する。
2016084185.tif 000002
【特許請求の範囲】
【請求項１】
空気と冷媒とを熱交換する熱交換器と、
前記熱交換器に対向して設けられ、前記空気が流通する開口部が形成された第１のドレンパンと、
前記熱交換器に対向して設けられ、側面視において前記第１のドレンパンと共にＬ字状をなすように前記第１のドレンパンに取り付けられた第２のドレンパンと、を備え、
前記第１のドレンパンが前記熱交換器の下方に位置する設置状態、又は、前記第２のドレンパンが前記熱交換器の下方に位置する設置状態で設置される熱交換ユニットであって、
前記第２のドレンパンは、
前記熱交換器に対向する対向面にリブを有する熱交換ユニット。
【請求項２】
前記第２のドレンパンは、
前記対向面の裏面において、前記対向面から透視した場合に前記リブとは異なる位置に配置されている裏リブを有する請求項１記載の熱交換ユニット。
【請求項３】
前記第２のドレンパンにおける裏リブは、前記対向面から透視した場合に前記リブと交差している請求項２記載の熱交換ユニット。
【請求項４】
前記第２のドレンパンは、
前記対向面において、前記リブと交差する補助リブを有する請求項１〜３のいずれか１項に記載の熱交換ユニット。
【請求項５】
前記第２のドレンパンは、
前記対向面において、前記第１のドレンパンに取り付けられる際に、前記第１のドレンパンを仮止めする仮止めリブを有する請求項１〜４のいずれか１項に記載の熱交換ユニット。
【請求項６】
前記第２のドレンパンにおける前記対向面は、傾斜しており、前記第２のドレンパンが前記熱交換器の下方に位置する設置状態において、前記リブから徐々に下がるように構成されている請求項１〜５のいずれか１項に記載の熱交換ユニット。
【請求項７】
前記第２のドレンパンにおける前記リブは、前記第２のドレンパンが前記熱交換器の下方に位置する設置状態において、徐々に下がるように傾斜しつつ一方向に向かって延在しており、
前記第２のドレンパンには、
前記第２のドレンパンが前記熱交換器の下方に位置する設置状態において、前記一方向側に設けられ、前記第２のドレンパン上の水滴を排出する第２の排水口が形成されている請求項６記載の熱交換ユニット。
【請求項８】
前記第１のドレンパン及び前記第２のドレンパンは、夫々矩形状をなしており、
前記第２のドレンパンの一側部は、前記第１のドレンパンの一側部に着脱自在に取り付けられ、また、前記第２のドレンパンにおける一側部に対向する他側部は、前記第１のドレンパンにおける一側部に対向する他側部に着脱自在に取り付けられるように、前記第１のドレンパンにおける一側部側と他側部側とが対称であり、前記第２のドレンパンにおける一側部側と他側部側とが対称である請求項１〜７のいずれか１項に記載の熱交換ユニット。
【請求項９】
筐体と、
前記筐体の内部に設けられ、請求項１〜８のいずれか１項に記載の熱交換ユニットと、
前記筐体の内部に設けられ、前記空気を送風する送風ユニットと、を備え、
前記筐体は、
前記第１のドレンパンが前記熱交換器の下方に位置する設置状態、又は、前記第２のドレンパンが前記熱交換器の下方に位置する設置状態で設置されるように構成されている空気調和装置。
【請求項１０】
前記筐体は、
前記熱交換ユニット及び前記送風ユニットを取り出し自在に収納する室と、
前記室を閉塞する開閉自在の扉と、を有する請求項９記載の空気調和装置。
【発明の詳細な説明】
【技術分野】
【０００１】
本発明は、空気と冷媒とを熱交換する熱交換ユニット及びその熱交換ユニットを備える空気調和装置に関する。
【背景技術】
【０００２】
熱交換ユニットを備える空気調和装置として、従来より、床に載置される際に載置面が変更される床置き型室内機を有する空気調和装置が知られている。この空気調和装置は、風が吹く向きが考慮されており、風向きが上吹き、横吹き又は下吹き等である場合、その風向きに応じて、床への載置面が変更される。また、空気調和装置に設けられた熱交換器から落下する水滴を受けるドレンパンは、空気調和装置の載置面の変更に対応可能な構造を有している。このような空気調和装置としては、排水性、強度、断熱性及び断熱材の貼り付け作業性等が考慮される。【０００３】
例えば、特許文献１には、上記のような床置き型室内機を有する空気調和装置が開示されている。特許文献１は、ドレンパンが樹脂からなり、その強度を向上させるため、ドレンパンにおける熱交換器に対向する面の裏面に、リブが設けられている。
【先行技術文献】
【特許文献】
【０００４】
【特許文献１】米国特許第７０２８５００号明細書
【発明の概要】
【発明が解決しようとする課題】
【０００５】
ドレンパンは、結露を防止するため、通例、断熱材が裏面に貼り付けられる。そして、特許文献１に開示された空気調和装置は、リブが裏面に設けられている。この場合、断熱材は、リブを避けて貼り付けられる。しかしながら、ドレンパンの強度を更に向上させることを目的として、裏面に設けられたリブを増加させると、断熱材は、増加したリブも避けて貼り付けられる。従って、断熱材を分割する数が増加して、断熱材の貼り付け作業性が悪化する。【０００６】
本発明は、上記のような課題を背景としてなされたもので、ドレンパンの強度を向上させつつ断熱材の貼り付け作業性を高める熱交換ユニット及びその熱交換ユニットを備える空気調和装置を提供するものである。
【課題を解決するための手段】
【０００７】
本発明に係る熱交換ユニットは、空気と冷媒とを熱交換する熱交換器と、熱交換器に対向して設けられ、空気が流通する開口部が形成された第１のドレンパンと、熱交換器に対向して設けられ、側面視において第１のドレンパンと共にＬ字状をなすように第１のドレンパンに取り付けられた第２のドレンパンと、を備え、第１のドレンパンが熱交換器の下方に位置する設置状態、又は、第２のドレンパンが熱交換器の下方に位置する設置状態で設置される熱交換ユニットであって、第２のドレンパンは、熱交換器に対向する対向面にリブを有する。
【発明の効果】
【０００８】
本発明の熱交換ユニットによれば、第２のドレンパンは、熱交換器の他面に対向する対向面にリブを有する。このため、熱交換ユニットは、ドレンパンの強度を向上させつつ断熱材の貼り付け作業性を高めることができる。
【図面の簡単な説明】
【０００９】
【図１】本発明の実施の形態１に係る空気調和装置１を示す斜視図である。
【図２】本発明の実施の形態１に係る空気調和装置１を示す斜視図である。
【図３】本発明の実施の形態１に係る空気調和装置１の構成を示す斜視図である。
【図４】本発明の実施の形態１に係る熱交換ユニット５を示す斜視図である。
【図５】本発明の実施の形態１に係る熱交換ユニット５を示す斜視図である。
【図６】本発明の実施の形態１における第１のドレンパン２０及び第２のドレンパン３０を示す斜視図である。
【図７】本発明の実施の形態１における第１のドレンパン２０及び第２のドレンパン３０を示す斜視図である。
【図８】本発明の実施の形態１における第１のドレンパン２０を示す斜視図である。
【図９】本発明の実施の形態１における第２のドレンパン３０を示す斜視図である。
【図１０】本発明の実施の形態１における第２のドレンパン３０の傾斜面を示す図である。
【図１１】本発明の実施の形態１における第２のドレンパン３０を示す斜視図である。
【図１２】本発明の実施の形態１に係る熱交換ユニット５を示す断面図である。
【図１３】本発明の実施の形態１に係る熱交換ユニット５を示す斜視図である。
【図１４】本発明の実施の形態１に係る熱交換ユニット５を示す斜視図である。
【図１５】本発明の実施の形態１に係る熱交換ユニット５を示す側面図である。
【図１６】本発明の実施の形態１に係る熱交換ユニット５を示す側面図である。
【図１７】本発明の実施の形態１に係る空気調和装置１を示す斜視図である。
【図１８】本発明の実施の形態１に係る空気調和装置１を示す斜視図である。
【図１９】本発明の実施の形態１に係る空気調和装置１を示す斜視図である。
【図２０】本発明の実施の形態１に係る空気調和装置１を示す斜視図である。
【図２１】本発明の実施の形態１に係る空気調和装置１を示す斜視図である。
【図２２】本発明の実施の形態１に係る空気調和装置１を示す斜視図である。
【図２３】本発明の実施の形態１に係る空気調和装置１を示す斜視図である。
【図２４】本発明の実施の形態１に係る空気調和装置１を示す斜視図である。
【発明を実施するための形態】
【００１０】
以下、本発明に係る熱交換ユニット及び空気調和装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１１】
実施の形態１．
図１，図２は、本発明の実施の形態１に係る空気調和装置１を示す斜視図である。これらの図１，図２に基づいて、空気調和装置１について説明する。図１，図２に示すように、空気調和装置１は、熱交換ユニット５を有している。更に、空気調和装置１は、筐体１ａと、送風ユニット６と、制御ユニット４とを有している。
【００１２】
筐体１ａは、角筒状をなしており、内部に、制御ユニット４、熱交換ユニット５及び送風ユニット６を取り出し自在に収納する室２が設けられている。室２は、３個設けられており、最上段の第１の室２ａと、第１の室２ａの下段の第２の室２ｂと、第２の室２ｂの下段であって最下段の第３の室２ｃとが設けられている。第１の室２ａには、制御ユニット４が収納され、第２の室２ｂには、熱交換ユニット５が収納され、第３の室２ｃには、送風ユニット６が収納されている。そして、筐体１ａは、室２を閉塞する開閉自在の扉３を有しており、第１の室２ａ、第２の室２ｂ及び第３の室２ｃには、夫々第１の扉３ａ、第２の扉３ｂ及び第３の扉３ｃが取り付けられている。なお、制御ユニット４、熱交換ユニット５及び送風ユニット６は、空気調和装置１のメンテナンス時等において、扉３を開いて筐体１ａから引き出される。また、第１の室２ａ、第２の室２ｂ及び第３の室２ｃは、いずれも、上部及び下部が開口されている。
【００１３】
図３は、本発明の実施の形態１に係る空気調和装置１の構成を示す斜視図である。図３に示すように、制御ユニット４は、複数の制御基板４ａ等を有しており、空気調和装置１の動作を制御するものである。なお、制御基板４ａ等は、第１の室２ａにおける第１の扉３ａ側に設置されている（図１参照）。また、熱交換ユニット５は、空気と冷媒とを熱交換するものである。
【００１４】
更に、送風ユニット６は、空気を送風するものである。送風ユニット６は、モータ６ａと、モータ６ａの外周に設けられた円筒状のファン６ｂと、ファン６ｂの上部に取り付けられ、空気が流通する開口が形成された矩形状且つ枠状のファンプレート６ｃとを有している。モータ６ａの一部は、ファン６ｂにおける一側部から突出している。ファンプレート６ｃは、筐体１ａの奥行方向において、中心線から対称の構造をなしている。これにより、送風ユニット６は、第３の室２ｃの内部において、水平方向に半回転した状態で設置されることが許容される。
【００１５】
次に、熱交換ユニット５について詳細に説明する。図４は、本発明の実施の形態１に係る熱交換ユニット５を示す斜視図である。また、図５は、本発明の実施の形態１に係る熱交換ユニット５を示す斜視図であり、図４のＡ−Ａ断面図である。図４，図５に示すように、熱交換ユニット５は、熱交換器１０と、第１のドレンパン２０と、第２のドレンパン３０とを有している。更に、熱交換ユニット５は、冷媒配管４０と、第１の板金５０と、第２の板金６０と、取付け板金７０とを有している。
【００１６】
熱交換器１０は、冷媒が流通する複数のチューブ１１が、間隔を空けて配置された複数の放熱フィン１２に挿通されたフィンチューブ型熱交換器であり、第１の熱交換部１０ａ及び第２の熱交換部１０ｂを有する。第１の熱交換部１０ａ及び第２の熱交換部１０ｂは、互いに向き合うように傾斜しており、その上端部同士が接触している。そして、熱交換器１０においては、放熱フィン１２同士の間に空気が流通し、チューブ１１内に流通する冷媒と空気とが熱交換する。
【００１７】
図６，図７は、本発明の実施の形態１における第１のドレンパン２０及び第２のドレンパン３０を示す斜視図である。図６，図７に示すように、第１のドレンパン２０と第２のドレンパン３０とは側面視においてＬ字状をなすように熱交換器１０に設けられている。第１のドレンパン２０は、枠状且つ矩形状をなしており、熱交換器１０の一面、例えば底面を覆うように設けられている。具体的には、第１のドレンパン２０は、その一側部上に、第２の熱交換部１０ｂの下端部が載置されており、また、その一側部に対向する他側部上に、第１の熱交換部１０ａの下端部が載置されている。これにより、第１のドレンパン２０は、熱交換器１０から落下する水滴を受ける。
【００１８】
また、第１のドレンパン２０において、一側部と他側部との間の側部には、第１の排水口２１が２個設けられており、第１のドレンパン２０に落下した水滴は、第１の排水口２１から排出される。また、第１のドレンパン２０は、中央部がくり抜かれており、中央部は、空気が流通する開口部２２となっている。なお、第１のドレンパン２０は、筐体１ａの幅方向において、中央線に対し対称である。また、第１のドレンパン２０には、ガラスファイバが使用されている。これにより、第１のドレンパン２０の強度が確保される。
【００１９】
図８は、本発明の実施の形態１における第１のドレンパン２０を示す斜視図であり、第１のドレンパン２０を、空気調和装置１の下方からみた図である。図８に示すように、第１のドレンパン２０は、熱交換器１０の一面に対向する面の裏面３０ｂに、スチロール２３が設けられている。また、第１のドレンパン２０は、スチロール２３の内周側に断熱材２４が貼り付けられている。これらのスチロール２３及び断熱材２４は、熱交換器１０から発生する熱を遮断する機能を有している。
【００２０】
なお、第１のドレンパン２０の裏面は、第２の室２ｂと第３の室２ｃとを区画する板金に載置され、接触している。なお、スチロール２３及び断熱材２４は、第１のドレンパンと第２のドレンパンとの間に位置している（図１２参照）。従って、スチロール２３及び断熱材２４は、板金と接触していない。このため、スチロール２３及び断熱材２４が板金に接触して、剥がれ又は疵等が発生することが抑制される。そして、スチロール２３及び断熱材２４は、板金と接触していないため、剥がれ又は疵等の発生を考慮する必要がない。このため、熱交換ユニット５が筐体１ａから取り出される際に、煩わしさが生じない。
【００２１】
図９は、本発明の実施の形態１における第２のドレンパン３０を示す斜視図であり、第２のドレンパン３０を、熱交換器１０側からみた図である。図９に示すように、第２のドレンパン３０は、矩形状をなしており、縁部が熱交換器１０側に延びている。そして、第２のドレンパン３０は、熱交換器１０の他面、例えば側面を覆うように設けられている。また、第２のドレンパン３０は、熱交換器１０の他面に対向する対向面３０ａに、対向面３０ａから突出するリブ３１を有している。リブ３１は、熱交換器１０の高さ方向に垂直の一方向に延在している。また、第２のドレンパン３０は、対向面３０ａから突出するように設けられ、リブ３１と交差する補助リブ３３を有している。補助リブ３３は、リブ３１に対し垂直の方向に延びるものであり、その長さは、リブ３１よりも短い。本実施の形態１では、補助リブ３３は、８個設けられているが、その数は適宜変更することができる。
【００２２】
第２のドレンパン３０は、更に、対向面３０ａから突出するように設けられ、第１のドレンパン２０に取り付けられる際に、第１のドレンパン２０を仮止めする仮止めリブ３４を有している（図７参照）。本実施の形態１では、仮止めリブ３４は、熱交換器１０の高さ方向における上部及び下部に５個づつ設けられているが、その位置及びその数は、適宜変更することができる。
【００２３】
更に、第２のドレンパン３０は、一側部に、第１の板金５０が嵌め込まれる板金用リブ３５が設けられている。本実施の形態１では、板金用リブ３５は、５個設けられているが、その数は適宜変更することができる。また、第２のドレンパン３０は、他側部で且つリブ３１の延長線上に、第２の排水口３６が２個設けられており、第２のドレンパン３０に落下した水滴は、第２の排水口３６から排出される。第２の排水口３６は、筐体１ａの第２の室２ｂにおいて、第２の扉３ｂ側に位置している。なお、第２のドレンパン３０は、更に、一側部において、切り欠かれた切欠き３７が形成されている。切欠き３７は、第２の排水口３６が詰まった場合に、第２のドレンパン３０に溜まる水を、排水する。これにより、第２の排水口３６側から水が漏れて、第１の扉３ａ側に設置された制御基板４ａ等が濡れることを抑制している。
【００２４】
図１０は、本発明の実施の形態１における第２のドレンパン３０の傾斜面を示す図である。図１０に示すように、第２のドレンパン３０における対向面３０ａは、傾斜しており、リブ３１は、第２のドレンパン３０が熱交換器１０の下方に位置する設置状態において、リブ３１から徐々に下がるように構成されている。また、対向面３０ａは、両側端部と中央部とが高くなっており、板金用リブ３５側から第２の排水口３６側に向けて徐々に低くなるように傾斜している。即ち、リブ３１は、第２のドレンパン３０が熱交換器１０の下方に位置する設置状態において、徐々に下がるように傾斜しつつ一方向に向かって延在しており、第２の排水口３６は、第２のドレンパン３０が熱交換器１０の下方に位置する設置状態において、一方向側に設けられ、第２のドレンパン３０上の水滴を排出するものである。このように、第２のドレンパン３０に落下した水滴は、傾斜面に沿って、第２の排水口３６に向かい、第２の排水口３６から排水される（図９の破線矢印）。そして、傾斜面の傾斜角度は、例えば２°以上である。これにより、第２のドレンパン３０が１°程度傾いても、円滑な排水が行われる。なお、第２のドレンパン３０は、中央線に対し対称である。また、第２のドレンパン３０には、ガラスファイバが使用されている。これにより、第２のドレンパン３０の強度が確保される。
【００２５】
図１１は、本発明の実施の形態１における第２のドレンパン３０を示す斜視図であり、第２のドレンパン３０を、空気調和装置１の側方からみた図である。図１１に示すように、第２のドレンパン３０は、対向面３０ａの裏面３０ｂから突出するように設けられた裏リブ３２を有している。裏リブ３２は、対向面３０ａから透視した場合に、対向面３０ａに設けられたリブ３１とは異なる位置に配置されており、例えば、対向面３０ａから透視した場合に、リブ３１と交差している。本実施の形態１では、裏リブ３２は、３個設けられているが、その数は適宜変更することができる。
【００２６】
図１２は、本発明の実施の形態１に係る熱交換ユニット５を示す断面図であり、図５の点線で囲まれた部分を示す拡大図である。図１２に示すように、第２のドレンパン３０は、第１のドレンパン２０に取り付けられている。なお、本実施の形態１では、第２のドレンパン３０は、第１のドレンパン２０の一側部に着脱自在に取り付けられている。例えば、第２のドレンパン３０における下部は、第１のドレンパン２０における第１の熱交換部１０ａの下端部が載置された部分に取り付けられている。
【００２７】
図１３は、本発明の実施の形態１に係る熱交換ユニット５を示す斜視図である。図４，図１３に示すように、冷媒配管４０は、熱交換器１０から一方向に延びており、冷媒が流通するものである。なお、一方向は、第２のドレンパン３０において、第２の排水口３６が設けられた側を向く方向である。
【００２８】
図１４は、本発明の実施の形態１に係る熱交換ユニット５を示す斜視図であり、図１３の点線で囲まれた部分を示す拡大図である。図１３，図１４に示すように、第１の板金５０は、矩形状をなしており、第２のドレンパン３０における板金用リブ３５に嵌め込まれている。第１の板金５０は、熱交換器１０から落下する水滴が、第２のドレンパン３０の外側に飛ぶことを抑制するものである。なお、第１の板金５０は、板金用リブ３５に嵌め込まれることにより、風等で揺れ動くことが抑制されている。
【００２９】
図１３に示すように、第２の板金６０は、矩形状をなしており、第２のドレンパン３０における第２の排水口３６側、即ち、冷媒配管４０が延びる一方向側に設けられている。第２の板金６０は、熱交換器１０又は冷媒配管４０等から飛ぶ露が、第２のドレンパン３０の外側に至ることを抑制するものである。第２の板金６０は、熱交換器１０又は冷媒配管４０等から飛んだ露を受けて伝わらせ、その露を第１のドレンパン２０又は第２のドレンパン３０に落下させる。
【００３０】
図１３に示すように、取付け板金７０は、棒状の部材であり、一端が、第１の熱交換部１０ａの上部及び第２の熱交換部１０ｂの上部が接触する部分に取り付けられており、他端が、第２のドレンパン３０の上部に取り付けられている。このように、取付け板金７０は、第２のドレンパン３０を熱交換器１０に取り付けるものである。
【００３１】
次に、第２のドレンパン３０の着脱について説明する。図１５，図１６は、本発明の実施の形態１に係る熱交換ユニット５を示す側面図である。図１５に示すように、第２のドレンパン３０は、下端部が第１のドレンパン２０の一側部に取り付けられ、上端部が取付け板金７０に取り付けられている。そして、第２のドレンパン３０は、第１のドレンパン２０の一側部及び取付け板金７０から取り外される。その後、第２のドレンパン３０は、上端部が第１のドレンパン２０の他側部に取り付けられ、下端部が取付け板金７０に取り付けられる。その際、取付け板金７０は、熱交換器１０の幅方向において逆向きに、熱交換器１０に取り付けられる。これにより、図１５，図１６のいずれにおいても、第１のドレンパン２０の第１の排水口２１及び第２のドレンパン３０の第２の排水口３６は、冷媒配管４０が延びる一方向を向く。なお、前述の如く、第１のドレンパン２０及び第２のドレンパン３０は、中央線に対し対称である。このため、図１５，図１６のいずれの取付けも許容される。また、第２のドレンパン３０は、仮止めリブ３４を、上部及び下部のいずれにも有しているため、図１５，図１６のいずれの取付けも許容される（図７参照）。このように、第２のドレンパン３０の一側部は、第１のドレンパン２０の一側部に着脱自在に取り付けられ、また、第２のドレンパン３０における一側部に対向する他側部は、第１のドレンパン２０における一側部に対向する他側部に着脱自在に取り付けられる。そして、これを実現するため、第１のドレンパン２０における一側部側と他側部側とが対称であり、第２のドレンパン３０における一側部側と他側部側とが対称である。
【００３２】
次に、本発明の実施の形態１に係る空気調和装置１の設置形態について説明する。図１７，図１８は、本発明の実施の形態１に係る空気調和装置１を示す斜視図であり、風向きが上吹きであるときの上吹き設置形態である。図１９，図２０は、本発明の実施の形態１に係る空気調和装置１を示す斜視図であり、風向きが横吹きのうち右吹きであるときの右吹き設置形態である。図２１，図２２は、本発明の実施の形態１に係る空気調和装置１を示す斜視図であり、風向きが横吹きのうち左吹きであるときの左吹き設置形態である。図２３，図２４は、本発明の実施の形態１に係る空気調和装置１を示す斜視図であり、風向きが下吹きであるときの下吹き設置形態である。本実施の形態１に係る空気調和装置１は、床に載置される際に載置面が変更されることにより、設置形態が変更される。空気調和装置１は、風が吹く向きが考慮されており、風向きが上吹き、右吹き、左吹き又は下吹き等である場合、その風向きに応じて、床への載置面が変更される。なお、右吹き及び左吹きとは、筐体１ａの扉３側からみた場合の風向きである。
【００３３】
図１７，図１８に示すように、空気調和装置１は、風向きが上吹きであるとき、第１の室２ａが上方に位置し、第３の室２ｃが下方に位置するように設置される。なお、この上吹き設置形態は、空気調和装置１の標準設置形態である。この場合、空気は、送風ユニット６によって、筐体１ａの下部から吸い込まれ、熱交換ユニット５に送風される。そして、空気は、熱交換ユニット５によって、冷媒と熱交換され、その後、筐体１ａの上部から吹き出される。熱交換ユニット５において、熱交換器１０から落下する水滴は、第１のドレンパン２０が受けて排水される。
【００３４】
図１９，図２０に示すように、空気調和装置１は、風向きが右吹きであるとき、第１の室２ａが右方に位置し、第３の室２ｃが左方に位置するように設置される。この場合、空気は、送風ユニット６によって、筐体１ａの下部、即ち左方から吸い込まれ、熱交換ユニット５に送風される。そして、空気は、熱交換ユニット５によって、冷媒と熱交換され、その後、筐体１ａの上部、即ち右方から吹き出される。熱交換ユニット５において、第２のドレンパン３０は、図１５に示すように第１のドレンパン２０に取り付けられている。このため、熱交換器１０から落下する水滴は、第２のドレンパン３０が受けて排水される。
【００３５】
図２１，図２２に示すように、空気調和装置１は、風向きが左吹きであるとき、第１の室２ａが左方に位置し、第３の室２ｃが右方に位置するように設置される。また、熱交換ユニット５において、第２のドレンパン３０は、図１５の状態から図１６の状態に付け替えられる。このように、第２のドレンパン３０は、第１のドレンパン２０の一側部に着脱自在に取り付けられている状態で、空気の流通方向が変更されたとき、第１のドレンパン２０の他側部に取り付けられる。また、送風ユニット６は、第３の室２ｃの内部において、右吹き設置形態から、水平方向に半回転した状態に付け替えられて設置される。これにより、送風ユニット６におけるモータ６ａの設置方向は、右吹き設置形態と同様となり、モータ軸が常に上方を向いた状態になる。
【００３６】
空気は、送風ユニット６によって、筐体１ａの下部、即ち右方から吸い込まれ、熱交換ユニット５に送風される。そして、空気は、熱交換ユニット５によって、冷媒と熱交換され、その後、筐体１ａの上部、即ち左方から吹き出される。熱交換ユニット５において、第２のドレンパン３０は、図１６に示すように第１のドレンパン２０に取り付けられている。このため、熱交換器１０から落下する水滴は、第２のドレンパン３０が受けて排水される。
【００３７】
図２３，図２４に示すように、空気調和装置１は、風向きが下吹きであるとき、第１の室２ａが下方に位置し、第３の室２ｃが上方に位置するように設置される。熱交換ユニット５は、第２の室２ｂの内部において、上吹き設置形態から、上下反転した状態に付け替えられて設置される。なお、下吹き設置形態においては、左吹き設置形態のように、第２のドレンパン３０の付け替えは不要である。空気は、送風ユニット６によって、筐体１ａの下部、即ち上方から吸い込まれ、熱交換ユニット５に送風される。そして、空気は、熱交換ユニット５によって、冷媒と熱交換され、その後、筐体１ａの上部、即ち下方から吹き出される。熱交換ユニット５において、熱交換器１０から落下する水滴は、第１のドレンパン２０が受けて排水される。
【００３８】
このように、熱交換ユニット５は、第１のドレンパン２０が熱交換器１０の下方に位置する設置状態、又は、第２のドレンパン３０が熱交換器１０の下方に位置する設置状態で設置される。そして、上記のとおり、第１のドレンパン２０は、上吹き設置形態及び下吹き設置形態のように、熱交換器１０の一面が重力方向を向いているとき、熱交換器１０から落下する水滴を受ける。また、第２のドレンパン３０は、右吹き設置形態及び左吹き設置形態のように、熱交換器１０の他面が重力方向を向いているとき、熱交換器１０から落下する水滴を受ける。このように、空気調和装置１は、複数の設置形態が許容されるものであり、第１のドレンパン２０及び第２のドレンパン３０によって、複数の設置形態において排水性が確保されている。そして、空気調和装置１は、設置形態に応じた排水が行われる。
【００３９】
次に、本発明の実施の形態１に係る空気調和装置１の作用について説明する。熱交換ユニット５における第２のドレンパン３０は、熱交換器１０の他面に対向する対向面３０ａにリブ３１を有する。第２のドレンパン３０は、対向面３０ａの裏面３０ｂに裏リブ３２が設けられており、これにより、第２のドレンパン３０の強度を向上させている。この場合、断熱材は、裏リブ３２を避けて貼り付けられる。しかしながら、第２のドレンパン３０の強度を更に向上させることを目的として、裏面３０ｂに設けられた裏リブ３２を増加させると、断熱材は、増加した裏リブ３２も避けて貼り付けられる。従って、断熱材を分割する数が増加して、断熱材２４の貼り付け作業性が悪化する。
【００４０】
しかしながら、本実施の形態１に係る空気調和装置１において、第２のドレンパン３０は、対向面３０ａにリブ３１が設けられており、裏リブ３２を増加させる必要がない。このため、第２のドレンパン３０の強度を向上させつつ断熱材の貼り付け作業性を高めることができる。また、裏リブ３２は、対向面３０ａに設けられたリブ３１から逸れた位置に配置されている。このため、第２のドレンパン３０は、広範囲において、その強度が向上する。更に、裏リブ３２は、リブ３１と交差している。このため、第２のドレンパン３０は、強度が更に向上する。
【００４１】
また、第２のドレンパン３０は、リブ３１と交差する補助リブ３３を有している。このため、第２のドレンパン３０は、強度が更に向上する。更に、第２のドレンパン３０は、仮止めリブ３４を有している。仮止めリブ３４は、前述の如く、第１のドレンパン２０に取り付ける位置を示すものであると共に、第２のドレンパン３０の強度を向上させている。更にまた、第２のドレンパン３０は、板金用リブ３５を有している。板金用リブ３５は、前述の如く、第１の板金５０が嵌め込まれるものであると共に、第２のドレンパン３０の強度を向上させている。また、第２のドレンパン３０における対向面３０ａは、傾斜しており、リブ３１は、対向面３０ａにおける勾配がもっとも高い位置である中央線上に設けられている。このため、リブ３１は、第２のドレンパン３０に落下した水滴が排水される際に邪魔にならず、円滑な排水を阻害しない。
【符号の説明】
【００４２】
１  空気調和装置、１ａ  筐体、２  室、２ａ  第１の室、２ｂ  第２の室、２ｃ  第３の室、３  扉、３ａ  第１の扉、３ｂ  第２の扉、３ｃ  第３の扉、４  制御ユニット、４ａ  制御基板、５  熱交換ユニット、６  送風ユニット、６ａ  モータ、６ｂ  ファン、６ｃ  ファンプレート、１０  熱交換器、１０ａ  第１の熱交換部、１０ｂ  第２の熱交換部、１１  チューブ、１２  放熱フィン、２０  第１のドレンパン、２１  第１の排水口、２２  開口部、２３  スチロール、２４  断熱材、３０  第２のドレンパン、３０ａ  対向面、３０ｂ  裏面、３１  リブ、３２  裏リブ、３３  補助リブ、３４  仮止めリブ、３５  板金用リブ、３６  第２の排水口、３７  切欠き、４０  冷媒配管、５０  第１の板金、６０  第２の板金、７０  取付け板金。
【図１】
2016084185.tif 000003
【図２】
2016084185.tif 000004
【図３】
2016084185.tif 000005
【図４】
2016084185.tif 000006
【図５】
2016084185.tif 000007
【図６】
2016084185.tif 000008
【図７】
2016084185.tif 000009
【図８】
2016084185.tif 000010
【図９】
2016084185.tif 000011
【図１０】
2016084185.tif 000012
【図１１】
2016084185.tif 000013
【図１２】
2016084185.tif 000014
【図１３】
2016084185.tif 000015
【図１４】
2016084185.tif 000016
【図１５】
2016084185.tif 000017
【図１６】
2016084185.tif 000018
【図１７】
2016084185.tif 000019
【図１８】
2016084185.tif 000020
【図１９】
2016084185.tif 000021
【図２０】
2016084185.tif 000022
【図２１】
2016084185.tif 000023
【図２２】
2016084185.tif 000024
【図２３】
2016084185.tif 000025
【図２４】
2016084185.tif 000026
【国際調査報告】
2016084185.tif 000027
2016084185.tif 000028
2016084185.tif 000029
2016084185.tif 000030